【手続補正書】
【提出日】平成25年9月13日(2013.9.13)
【手続補正１】
【補正対象書類名】特許請求の範囲
【補正対象項目名】全文
【補正方法】変更
【補正の内容】
【特許請求の範囲】
【請求項１】
交換レンズを装着可能な撮像装置であって、
装着された交換レンズと通信するための第１の端子及び第２の端子と、
前記交換レンズとの通信を制御する制御手段とを有し、
前記制御手段は、前記第１の端子からクロック信号を送信するとともに前記クロック信号に基づいて前記交換レンズと通信する第１の通信モードにおいて、前記第１の端子から前記クロック信号を送信せずに通信する第２の通信モードに前記交換レンズが対応するか否かを判定し、前記交換レンズが前記第２の通信モードに対応しない場合には、前記第１の通信モードを継続し、前記交換レンズが前記第２の通信モードに対応する場合には、前記第２の通信モードに切り替え、当該交換レンズによって設定されたボーレートで通信することを特徴とする撮像装置。
【請求項２】
前記制御手段は、前記交換レンズからボーレート設定の完了を示す第１の信号を受信した後で前記第２の通信モードに切り替えることを特徴とする請求項１に記載の撮像装置。
【請求項３】
前記交換レンズが前記第２の通信モードに対応する場合、前記制御手段は、前記第２の通信モードのボーレート調整のための第２の信号を前記第２の端子を介して前記交換レンズに送信することを特徴とする請求項１又は２に記載の撮像装置。
【請求項４】
前記交換レンズが前記第２の通信モードに対応する場合、前記制御手段は、所定のクロックカウントに対応する時間の間、前記第１の端子又は前記第２の端子の信号レベルを所定レベルに保つよう制御することを特徴とする請求項１乃至３のいずれか１項に記載の撮像装置。
【請求項５】
前記制御手段は、前記第１の端子又は前記第２の端子の信号レベルが前記所定レベルに保たれる間の時間を計測するよう指示する情報を前記第２の端子を介して前記交換レンズに送信することを特徴とする請求項４に記載の撮像装置。
【請求項６】
前記第２の通信モードにおけるボーレートは、前記交換レンズによって計測された時間に基づいて設定されることを特徴とする請求項５に記載の撮像装置。
【請求項７】
前記交換レンズが前記第２の通信モードに対応する場合、前記制御手段は、前記第１の端子又は前記第２の端子の信号レベルが所定レベルに保たれる間の時間を計測し、当該計測した時間についての情報を前記第２の端子を介して当該交換レンズに送信することを特徴とする請求項１乃至３のいずれか１項に記載の撮像装置。
【請求項８】
前記第２の通信モードにおけるボーレートは、前記第２の端子を介して前記制御手段から送信した前記時間についての情報に基づいて設定されることを特徴とする請求項７に記載の撮像装置。
【請求項９】
前記撮像装置内の温度を検知可能な温度検知手段をさらに有し、
前記制御手段は、前記第２の通信モードにおいて、前記温度検知手段による検知結果に応じて再度ボーレートを設定するよう前記交換レンズに通知することを特徴とする請求項１乃至８のいずれか１項に記載の撮像装置。
【請求項１０】
撮像装置に装着可能な交換レンズであって、
装着された撮像装置と通信するための第１のレンズ端子及び第２のレンズ端子と、
前記撮像装置との通信を制御するレンズ制御手段とを有し、
前記レンズ制御手段は、前記第１のレンズ端子からクロック信号を受信するとともに前記クロック信号に基づいて通信する第１の通信モードから、前記第１のレンズ端子から前記クロック信号を受信せずに通信する第２の通信モードに切り替える際、前記第２の通信モードにおけるボーレートを設定することを特徴とする交換レンズ。
【請求項１１】
前記レンズ制御手段は、ボーレート設定の完了を示す第１の信号を前記撮像装置に送信することを特徴とする請求項１０に記載の交換レンズ。
【請求項１２】
前記レンズ制御手段は、前記第２の通信モードのボーレート調整のための第２の信号を前記第２のレンズ端子を介して前記撮像装置から受信することを特徴とする請求項１０又は１１に記載の交換レンズ。
【請求項１３】
前記レンズ制御手段は、前記第１のレンズ端子又は前記第２のレンズ端子の信号レベルが所定レベルに保たれる間の時間を計測し、当該計測した時間に基づいて、前記第２の通信モードのボーレートを設定することを特徴とする請求項１０乃至１２のいずれか１項に記載の交換レンズ。
【請求項１４】
前記レンズ制御手段は、前記第１のレンズ端子又は前記第２のレンズ端子の信号レベルを、所定のクロックカウントに対応する時間の間、所定レベルに保つよう制御することを特徴とする請求項１０乃至１２のいずれか１項に記載の交換レンズ。
【請求項１５】
前記レンズ制御手段は、前記撮像装置によって計測された前記第１のレンズ端子又は前記第２のレンズ端子の信号レベルが前記所定レベルに保たれる間の時間についての情報を前記第２のレンズ端子を介して前記撮像装置から受信し、当該受信した情報に基づいて、前記第２の通信モードのボーレートを設定することを特徴とする請求項１４に記載の交換レンズ。
【請求項１６】
交換レンズを装着可能で、装着された交換レンズと通信するための第１の端子及び第２の端子を備えた撮像装置の制御方法であって、
前記第１の端子からクロック信号を送信するとともに前記クロック信号に基づいて前記交換レンズと通信する第１の通信モードにおいて、前記第１の端子から前記クロック信号を送信せずに通信する第２の通信モードに前記交換レンズが対応するか否かを判定するステップと、
前記交換レンズが前記第２の通信モードに対応しない場合には、前記第１の通信モードを継続するステップと、
前記交換レンズが前記第２の通信モードに対応する場合には、前記第２の通信モードに切り替え、当該交換レンズによって設定されたボーレートで通信するステップとを有することを特徴とする撮像装置の制御方法。
【請求項１７】
撮像装置に装着可能で、装着された撮像装置と通信するための第１のレンズ端子及び第２のレンズ端子を備えた交換レンズの制御方法であって、
前記第１のレンズ端子からクロック信号を受信するとともに前記クロック信号に基づいて通信する第１の通信モードから、前記第１のレンズ端子から前記クロック信号を受信せずに通信する第２の通信モードに切り替える際、前記第２の通信モードにおけるボーレートを設定することを特徴とする交換レンズの制御方法。
【手続補正２】
【補正対象書類名】明細書
【補正対象項目名】発明の名称
【補正方法】変更
【補正の内容】
【発明の名称】撮像装置及びその制御方法、交換レンズ及びその制御方法
【手続補正３】
【補正対象書類名】明細書
【補正対象項目名】０００６
【補正方法】変更
【補正の内容】
【０００６】
上記目的を達成するために、本願第１の発明は、交換レンズを装着可能な撮像装置であって、装着された交換レンズと通信するための第１の端子及び第２の端子と、前記交換レンズとの通信を制御する制御手段とを有し、前記制御手段は、前記第１の端子からクロック信号を送信するとともに前記クロック信号に基づいて前記交換レンズと通信する第１の通信モードにおいて、前記第１の端子から前記クロック信号を送信せずに通信する第２の通信モードに前記交換レンズが対応するか否かを判定し、前記交換レンズが前記第２の通信モードに対応しない場合には、前記第１の通信モードを継続し、前記交換レンズが前記第２の通信モードに対応する場合には、前記第２の通信モードに切り替え、当該交換レンズによって設定されたボーレートで通信することを特徴とする撮像装置である。
【手続補正４】
【補正対象書類名】明細書
【補正対象項目名】０００７
【補正方法】変更
【補正の内容】
【０００７】
本願第２の発明は、撮像装置に装着可能な交換レンズであって、装着された撮像装置と通信するための第１のレンズ端子及び第２のレンズ端子と、前記撮像装置との通信を制御するレンズ制御手段とを有し、前記レンズ制御手段は、前記第１のレンズ端子からクロック信号を受信するとともに前記クロック信号に基づいて通信する第１の通信モードから、前記第１のレンズ端子から前記クロック信号を受信せずに通信する第２の通信モードに切り替える際、前記第２の通信モードにおけるボーレートを設定することを特徴とする交換レンズである。